(57)【要約】【課題】内袋容器の収縮が規制され、内容液を排出していくうちに、内容液の排出が困難になるという問題が有効に解決された二重構造容器を提供する。【解決手段】内袋容器用プリフォーム１と外容器用プリフォーム３とを用いてのスタックプリフォーム法による同時延伸ブロー成形により得られた内袋容器３１と外容器４１とからなる二重構造容器において、内袋容器３１の胴部３３には、周方向に間隔を置いて、複数箇所に、軸方向に帯状に延びている収縮規制用薄肉部５０が設けられていることを特徴とする。【選択図】  図３
2019142186.tif 000002
【特許請求の範囲】
【請求項１】
スタックプリフォーム法による同時延伸ブロー成形により、外容器と外容器内に収容された内袋容器とからなる二重構造容器を製造する際に使用される内袋容器用プリフォームにおいて、
該内袋容器用プリフォームは、全体として試験管形状を有しており、外容器用プリフォームの内部に収容された際、該外容器用プリフォームの非延伸成形部である口部内に位置する首部、該首部に連なる胴部及び該胴部の下端を閉じている底部とを有しており、
前記胴部の内面または外面には、軸方向に線状に延びている収縮規制用溝が、周方向に間隔をおいて複数箇所に形成されていることを特徴とする内袋容器用プリフォーム。
【請求項２】
胴部平断面でみて、前記収縮規制用溝での最少厚みｔは、該溝以外の部分の厚みＴの８０％以下の範囲にある請求項１に記載の内袋容器用プリフォーム。
【請求項３】
前記収縮規制用溝での最少厚みｔは、２００μｍ以上の範囲にある請求項２に記載の内袋容器用プリフォーム。
【請求項４】
胴部平断面でみて、前記収縮規制用溝の幅ｗは、０．２〜８ｍｍの範囲にある請求項１〜３の何れかに記載の内袋容器用プリフォーム。
【請求項５】
前記複数の収縮規制用溝は、胴部平断面でみて、点対称的に配置されている請求項１に記載の内袋容器用プリフォーム。
【請求項６】
胴部平断面でみて、前記複数の収縮規制用溝は、２〜４か所に形成されている請求項１〜５の何れかに記載の内袋容器用プリフォーム。
【請求項７】
前記収縮規制用溝は、前記胴部のハイトＨに対して３０％以上の軸方向長さＬを有している請求項１〜６の何れかに記載の内袋容器用プリフォーム。
【請求項８】
前記溝は、前記胴部の内面に形成されている請求項１〜７の何れかに記載の内袋容器用プリフォーム。
【請求項９】
内袋容器用プリフォームと外容器用プリフォームとを用いてのスタックプリフォーム法による同時延伸ブロー成形により得られた内袋容器と外容器とからなる二重構造容器において、
前記内袋容器の胴部には、周方向に間隔を置いて、複数箇所に、軸方向に帯状に延びている収縮規制用薄肉部が設けられていることを特徴とする二重構造容器。
【請求項１０】
平断面でみて、前記収縮規制用薄肉部の最少厚みｔ’は、該薄肉部以外の部分の厚みＴ’の７０％以下の範囲にある請求項９に記載の二重構造容器。
【発明の詳細な説明】
【技術分野】
【０００１】
本発明は、外容器と、該外容器内に挿入されて保持された内袋容器とからなる二重構造容器に関するものであり、より詳細には、スタックプリフォーム法による同時延伸ブロー成形により該二重構造容器を製造するために使用される内袋容器用プリフォーム及び該内袋用プリフォームを用いて得られる二重構造容器に関する。
【背景技術】
【０００２】
従来、内袋容器と外容器とからなる二重構造を有している二重構造容器は、例えばエアレスボトルとして、醤油等の調味液が収容される容器として実用されている。かかるエアレスボトルは、逆止弁付のキャップと組み合わせで使用されるものであり、外容器であるボトルの胴部壁を外部からスクイズして凹ませることにより、内袋容器に充填されている内容液がキャップに形成されている注出路から排出され、ボトルの胴部壁の押圧を停止することにより内容液の排出を終了させると、逆止弁の作用により、空気は内袋容器には導入されず、キャップの注出路とは異なる流路を通って、内袋容器と外容器との間の空間に導入されることとなる。これにより、内袋容器は、内容液が排出された分だけ収縮することとなり、内容液を排出する毎に、内袋容器が収縮していく。このような方法により内容液が排出されるエアレスボトルでは、内容液を小出しできると共に、内容液が充填されている内袋容器への空気の侵入が有効に防止されるため、内容液の酸化劣化を有効に回避でき、内容液の鮮度を長期間にわたって保持できるという利点がある。
【０００３】
上記のような二重構造容器の製法としては、外容器成形用の樹脂と内袋容器成形用の樹脂として、互いに接着性を有していない樹脂を選択し、これらの樹脂を用いてのダイレクトブロー成形により容器の形態に賦形するというダイレクトブロー法が主流であった。即ち、この方法は、上記の樹脂を用いての溶融押出により、二重構造のパイプを成形し、このパイプの下端部をピンチオフした後、ブロー流体を吹き込むことによりボトルの形態に賦形するという手法である。しかしながら、かかる方法では、溶融押出成形からボトル成形までの行程が一挙に行われることから多数個取りが難しく、生産性が低いという問題があった。また、外容器に関して、強度が低いという問題もあった。
【０００４】
このため、最近では、延伸ブロー成形により、二重構造容器を製造する方法が検討されている。
この方法としては、大きく分けて、プリフォーム−イン−ボトル法とスタックプリフォーム法が知られている。
【０００５】
プリフォーム−イン−ボトル法は、予め、公知の延伸ブロー成形により外容器を成形し、この外容器内に、試験管形状の内袋用プリフォームを挿入し、この状態で内袋用プリフォーム内にブロー流体を供給してブロー成形を行うという手法である。この方法では、外容器がブロー型として機能し、内袋用プリフォームが袋状の容器形状に賦形されることとなる。つまり、この方法では、外容器についての延伸ブロー成形と内袋容器の延伸ブロー成形とが逐次行われる。
【０００６】
スタックプリフォーム法は、外容器成形用プリフォームと内袋用プリフォームとを射出成形により成形し、内袋用プリフォームを外容器成形用プリフォーム内に挿入して、外容器成形用プリフォームと内袋用プリフォームとが重なったスタックプリフォームを形成し、このスタックプリフォームをブロー型内に保持し、スタックプリフォーム内部の内袋用プリフォーム内にブロー流体を供給して延伸ブロー成形を行うという手法である。つまり、この方法は、外容器成形用プリフォームは、内袋用プリフォームの膨張によって容器の形態に賦形されるものであり、外容器についての延伸ブロー成形と内袋容器の延伸ブロー成形とが同時に行われる。
【０００７】
しかしながら、内袋容器と外容器とからなる二重構造容器では、内袋容器内に収容されている容器内容液を排出していくにしたがい、内袋容器が不規則に変形し、例えばある程度内容液を排出すると、内袋容器の底部が外容器の底部から浮き上がってしまい、クシャクシャになってしまい、内容液の排出流路がつぶれてしまい、内容液の排出が困難になるという問題がある。このような問題は、ダイレクトブロー法、プリフォーム−イン−ボトル法及びスタックプリフォーム法の何れの方法により二重構造容器を製造した場合にも生じている。
【０００８】
例えば、特許文献１には、プリフォーム−イン−ボトル法に使用される内袋容器用プリフォームについて、胴部外面に空隙形成用リブを設けることが開示されている。このような内袋容器用プリフォームを用いての二重構造容器では、外容器の内面と内袋の外面との間に空隙が形成されているため、内容液を最初に排出する際、内袋プリフォームが外容器の内面から速やかに離れて収縮するため（初期デラミ性に優れている）、内容液を速やかに排出することができるというものである。しかしながら、かかる二重構造容器では、内容液の排出に伴う内袋容器の収縮が不規則であるため、内容液を排出していくうちに、内容液の排出が困難になるという問題は解決されていない。
また、この特許文献１には、外容器用プリフォームの内面に空隙形成用リブを設けることも提案されているが、この場合にも、上記の問題は解決されていない。
【０００９】
また、特許文献２には、スタックプリフォーム法に使用される内袋容器用プリフォームについて、胴部外面に多数の突条を設けることが開示されている。このような内袋容器用プリフォームを用いて得られる二重構造容器も、外容器の内面と内袋の外面との間に空隙が形成されるものの、内容液の排出に伴う内袋容器の収縮が不規則であるため、内容液を排出していくうちに、内容液の排出が困難になるという問題は解決されていない。
【００１０】
さらに、特許文献３には、スタックプリフォーム法により二重構造容器を製造するに際し、内袋容器用プリフォーム底部に突部及び係合用の爪を設け、この爪を外容器用プリフォーム底部の空孔に挿入しての係合により２つのプリフォームを連結しておき、この形態で同時延伸ブロー成形を行うという手段が提案されている。
かかる手段では、内袋容器の底部が外容器の底部に連結されているため、内容液の排出に伴う内袋容器の収縮が規制されており、内容液を排出していくうちに、内容液の排出が困難になるという問題は有効に解決されている。しかしながら、かかる手段では、内袋用プリフォームの底部に爪を形成し、さらに、外容器用プリフォームには、該爪と係合する孔を設けることが必要であるため、これらのプリフォームを製造するための金型が複雑なものとなってしまい、さらには、内袋用プリフォームに形成されている爪を、外容器用プリフォームに形成されている孔に挿入し、係合させるという面倒な操作が必要となってしまい、生産性が低いという大きな問題がある。
【先行技術文献】
【特許文献】
【００１１】
【特許文献１】特開２００５−５３５１３号公報
【特許文献２】特許第４２８１４５４号
【特許文献３】特開２０１４−６９８７５号公報
【発明の概要】
【発明が解決しようとする課題】
【００１２】
従って、本発明の目的は、内袋容器の収縮が規制され、内容液を排出していくうちに、内容液の排出が困難になるという問題が有効に解決された二重構造容器を提供することにある。
また、本発明の他の目的は、複雑な形態の金型を使用せず、また爪と孔との係合等の面倒な手段を用いることなく、スタックプリフォーム法により、上記の二重構造容器を製造することができる内袋用プリフォームを提供することにある。
【課題を解決するための手段】
【００１３】
本発明者等は、二重構造容器の製造法として知られているスタックプリフォーム法について多くの実験を行い検討した結果、この方法では、内袋用プリフォームの延伸成形部（胴部）に局部的に厚みが薄くなっている深い溝を形成することができるという予想外の知見を得、このような深い溝を用いての同時延伸ブロー成形を行うことにより、内袋容器には、内容液の排出に伴う収縮を規制し得る薄肉部が形成され、かくして得られる二重構造容器では、内容液を排出していくうちに、内容液の排出が困難になるという問題が有効に解決されることを見出し、本発明を完成させるに至った。
【００１４】
即ち、本発明によれば、スタックプリフォーム法による同時延伸ブロー成形により、外容器と外容器内に収容された内袋容器とからなる二重構造容器を製造する際に使用される内袋容器用プリフォームにおいて、
該内袋容器用プリフォームは、全体として試験管形状を有しており、外容器用プリフォームの内部に収容された際、該外容器用プリフォームの非延伸成形部である口部内に位置する首部、該首部に連なる胴部及び該胴部の下端を閉じている底部とを有しており、
前記胴部の内面または外面には、軸方向に線状に延びている収縮規制用溝が、周方向に間隔をおいて複数箇所に形成されていることを特徴とする内袋容器用プリフォームが提供される。
【００１５】
本発明の内袋容器用プリフォームにおいては、次の構造ないし形態を有していることが好適である。
（１）胴部平断面でみて、前記収縮規制用溝での最少厚みｔは、該溝以外の部分の厚みＴの８０％以下の範囲にあること。
（２）前記収縮規制用溝での最少厚みｔは、２００μｍ以上の範囲にあること。
（３）胴部平断面でみて、前記収縮規制用溝の幅ｗは、０．２〜８ｍｍの範囲にあること。
（４）前記複数の収縮規制用溝は、胴部平断面でみて、点対称的に配置されていること。
（５）胴部平断面でみて、前記複数の収縮規制用溝は、２〜４か所に形成されていること。
（６）前記収縮規制用溝は、前記胴部のハイトＨに対して３０％以上の軸方向長さＬを有していること。
（７）前記収縮規制用溝は、前記胴部の内面に形成されていること。
【００１６】
本発明によれば、内袋容器用プリフォームと外容器用プリフォームとを用いてのスタックプリフォーム法による同時延伸ブロー成形により得られた内袋容器と外容器とからなる二重構造容器において、
前記内袋容器の胴部には、周方向に間隔を置いて、複数箇所に、軸方向に帯状に延びている収縮規制用薄肉部が設けられていることを特徴とする二重構造容器が提供される。
かかる二重構造容器では、
（８）平断面でみて、前記薄肉部の最少厚みｔ’は、該薄肉部以外の部分の厚みＴ’の７０％以下の範囲にあること、
が好適である。
【発明の効果】
【００１７】
本発明の内袋容器用プリフォームは、スタックプリフォーム法により二重構造容器を製造するために使用されるものである。即ち、この内袋容器用プリフォームが外容器用プリフォームの内部に挿入されて保持されているスタックプリフォームを組み立て、このスタックプリフォームをブロー金型内に配置し、この状態で、適宜ストレッチロッドを内袋容器用プリフォームの内部に挿入して一軸方向に延伸し、さらに、内袋容器用プリフォーム内にブロー流体（例えば圧縮エア）を供給して周方向に膨張させること（即ち、同時ブロー延伸）により、内袋容器用プリフォームは、外容器用プリフォームの内面に密着しながらの膨張により薄肉化されて内袋容器の形態に賦形され、外容器用プリフォームは、その内面に密着している内袋容器用プリフォームの膨張に伴って膨張薄肉化され、ブロー金型により外容器の形態に賦形され、これにより、外容器と外容器内に収容保持された内袋容器とからなる二重構造容器が得られるわけである。
【００１８】
このような内袋容器用プリフォーム及び外容器用プリフォームは、何れも全体として試験管形状を有しており、内袋容器用プリフォームは、外容器用プリフォーム内に挿入保持されたとき、該外容器用プリフォームの非延伸成形部ある口部内に位置する首部と、該首部に連なる胴部及び胴部を閉じている底部を有している。即ち、外容器用プリフォームとの同時延伸ブロー成形に際して、胴部及び底部が延伸成形される部分となっている。このような基本形状を有する内袋容器用プリフォームにおいて、本発明では、延伸成形される部分である胴部に、周方向に間隔をおいて複数箇所に、軸方向に線状に延びている収縮規制用溝が形成されている点に重要な特徴を有している。
このような収縮規制用溝が形成されている内袋容器用プリフォームを用いて前述した同時延伸ブロー成形を行うと、この溝の部分は、薄肉であるため、他の部分に比してより薄肉化され、得られる内袋容器には、上記の収縮規制用溝が薄肉化された収縮規制用薄肉部が形成されることとなる。
即ち、内袋容器に形成された収縮規制用薄肉化部は、周方向に間隔をおいて複数形成されているが、何れも容器の軸方向に延びており、このような薄肉部でない部分に比してかなりの薄肉となっている。このため、内袋容器内に収容された内容液が排出するに伴って生じる内袋容器の収縮は、軸方向に延びている収縮規制用薄肉部を起点としての変形となり、この結果、内容液の排出に伴う収縮によって、内袋容器の底部が大きく浮き上がってシワクチャになるような不規則な収縮変形が抑制され、内容液の流路が遮断されてしまうことがなく、安定して内容液の排出を行うことができる。
【００１９】
ここで重要なことは、上記のような内袋に形成される収縮規制用の薄肉部は、スタックプリフォーム法を採用することによってのみ実現でき、プリフォーム−イン−ボトル法では形成することができないということである。
即ち、収縮を規制するための薄肉部は、収縮の際の変形の起点となるものであるため、他の部分との厚み差がかなり大きいものであることが必要である。この厚み差が小さいと、内容液の排出に伴って内袋容器が収縮変形する際、他の部分もほぼ同時に変形することとなり、収縮を規制する機能が発揮されないからである。従って、このような厚み差を有する薄肉部を形成するためには、この内袋容器を成形するために使用される内袋容器用プリフォームの延伸成形部（胴部）に、薄肉の部分、具体的には溝を形成しておかなければならず、この溝も、他の部分との厚み差を大きく設定しておく必要がある。このような大きな厚み差のある溝を有する内袋容器用プリフォームを、プリフォーム−イン−ボトル法のように、独立して延伸ブロー成形すると、著しく厚みの薄い溝が大きく引き伸ばされるため、破断等の成形不良を生じてしまう。即ち、溝の厚みが制限されるため、収縮規制するための薄肉部を形成することができない。
一方、スタックプリフォーム法では、同時延伸ブロー成形により二重構造容器を製造する場合には、内袋容器用プリフォームの延伸成形部（胴部）は、外容器用プリフォームの内面に密着し且つ外容器用プリフォームと一体化した膨張により引き延ばされる。従って、内袋容器用プリフォームに、他の部分との厚み差が大きな溝が形成されていたとしても、外容器用プリフォームの胴部内面が、溝部分単独での延伸を緩和し、溝部分が、溝以外の部分と同等に膨張薄肉化していき、この結果、破断等の成形不良が有効に抑制される。換言すると、収縮規制薄肉部を形成し得るような大きな厚み差のある溝を形成することが、内袋容器用プリフォームの胴部（延伸成形部）に形成することができるわけである。
【００２０】
尚、上記の軸方向に延びている線状の溝の代わりに、内袋容器用プリフォームの胴部、特に外面に突条を設けることも考えられる。この場合、ブロー成形により得られる内袋容器には、該突条に対応するように厚肉部が形成されることとなるが、このような厚肉部は、外容器と内袋容器との間に空隙を形成するには役立つが、収縮を規制する機能は示さない。即ち、この部分は、変形しにくい部分であり、内容液の排出に伴う収縮変形は、大面積で存在する厚肉部以外の部分から生じるため、どうしても収縮変形が不規則に生じてしまうこととなる。
【００２１】
このように、本発明の内袋容器用プリフォームを用いてのスタックプリフォーム法により得られる二重構造容器は、内容液の排出に伴う内袋容器の収縮変形が有効に規制され、不規則な変形が防止されるため、内容液の排出流路が塞がれるという不都合が有効に回避され、内容液の排出を安定に行うことができる。
また、本発明では、延伸成形部(胴部)に溝が形成されている内袋容器用プリフォームを用いることを除けば、従来から知られているスタックプリフォーム法により二重構造容器を成形することができ、爪や孔などを有する格別の形態のプリフォームを使用するものではなく、しかも、スタックプリフォームを組み立てる際に、爪と孔との係合等の面倒な操作を行う必要もなく、従って、本発明は、生産性や製造コスト等の点でも極めて有利である。
【図面の簡単な説明】
【００２２】
【図１】本発明の二重構造容器の製造に使用される内袋容器用プリフォーム、外容器用プリフォーム及びこれらのプリフォームから組み立てられたスタックプリフォームの概略側断面を示す図であり、図１（ａ）は、内袋容器をプリフォーム、図１（ｂ）は外容器用プリフォーム、図１（ｃ）は、スタックプリフォームを示す図である。
【図２】図１の内袋容器用プリフォームのＡ−Ａ平断面図である。
【図３】スタックプリフォーム法による同時延伸ブロー成形により得られる本発明の二重構造容器の概略側断面を示す図。
【図４】図４中の内袋容器のＢ−Ｂ平断面を示す図。
【図５】二重構造容器について、内容液の排出に伴う内袋容器の収縮変形の形態を示す図であり、図５（ａ）は、本発明に従い、収縮規制用薄肉部が内袋容器に形成されている時の収縮変形の形態を示す概略側面図であり、図５（ｂ）は、その概略平断面図である。
【図６】収縮規制用薄肉部が内袋容器に形成されていない時の収縮変形の形態を示す概略側面図である。
【図７】図３の内袋容器に形成される複数の収縮規制用薄肉部の他の配置パターン、及びこのパターンに応じて形成される内袋容器の変形形態の例を示す概略平断面図。
【発明を実施するための形態】
【００２３】
図１を参照して、本発明の二重構造容器は、内袋容器用プリフォーム１（図１（ａ）参照）と、外容器用プリフォーム３（図１（ｂ）参照）とを用いてのスタックプリフォーム法により得られるものである。即ち、内袋容器用プリフォーム１（以下、単に内プリフォームと呼ぶことがある）を、外容器用プリフォーム３（以下、単にそとプリフォームと呼ぶことがある）内に挿入してスタックプリフォーム２０（図１（ｃ）参照）を形成し、このスタックプリフォームを用いて延伸ブロー成形することにより、内プリフォーム１と外プリフォーム３とが同時に延伸ブロー成形され、後述する図３に示されている二重構造容器が製造される。
【００２４】
図１から理解されるように、内プリフォーム１及び外プリフォーム３は、何れも、全体として試験管形状を有しており、射出成形により成形されるものである。
【００２５】
本発明において、内プリフォーム１は、首部５と、首部５に連なる胴部７及び胴部７の下端を閉じている底部９を有している。一方、内プリフォーム１が収容される外プリフォーム３は、口部１１と、口部１１に連なる胴部１３及び胴部１３の下端を閉じている底部１５とからなり、口部１１が延伸成形されない固定部（非延伸成形部）であり、胴部１３及び底部１５が延伸成形される部分である。
【００２６】
上記のような内プリフォーム１において、首部５は、スタックプリフォーム２０としたとき、延伸ブロー成形されない口部１１内に位置する部分である。従って、この内プリフォーム１では、首部５に連なる胴部７及び底部９が延伸成形される領域となるが、スタックプリフォーム２０としたとき、首部５の外面と口部１１の内面との間に間隙が形成されている場合には、このような間隙が存在している部分から延伸成形されることもある。
尚、図１において、非延伸成形部は、内プリフォーム１及び外プリフォーム３の何れもハッチングにより示されている。
【００２７】
また、内プリフォーム１の首部５の上方部分は、スタックプリフォーム２０としたとき、外プリフォーム３の口部１１内にしっかりと嵌合固定されるが、その上端には、外方に広がった周状フランジ５ａが形成されており、この周状フランジ５ａが口部１１の上端と係合することにより、内プリフォーム１が必要以上に深く挿入されないように位置決めされることとなる。
【００２８】
また、非延伸成形部である外プリフォーム１の口部１１の外面には、逆止弁付のキャップを装着するための螺条１１ａが設けられており、この螺条１１ａの上側には、空気導入口１１ｂが形成されており、かかる空気導入口１１ｂを通して、最終的に成形される二重構造容器の内袋容器と外容器との間に空気を導入し、内袋容器に充填された内容液の排出作業を速やかに行い得るようになっている。
さらに、上記の螺条１１ａの下側には、サポートリング１１ｃが設けられており、外プリフォーム３やスタックプリフォーム２０の搬送などの際の把持部材として使用される。また、逆止弁付のキャップが装着されたとき、該キャップがサポートリング１１ｃの上面に当接することにより、空気が漏れることなく、空気導入口１１ｂを通して、最終的に成形される二重構造容器の内袋容器と外容器との間に空気を導入することができる。
【００２９】
尚、上記のような内プリフォーム１及び外プリフォーム３において、内プリフォーム３の首部５が、外プリフォーム３の口部１１から突出するような形態とすることもでき、突出した部分の首部５の外面に逆弁付キャップとの係合用の螺条１１ａを設けることもでき、さらに、逆止弁付キャップが、螺子係合によらず、嵌合固定によって固定されるタイプのものである場合には、上記のような螺条１１ｂを省略することも可能である。
【００３０】
また、上記の内プリフォーム１の胴部７の外面は、その上端部（口部５に連なる部分）から下方にいくにしたがい縮径されたテーパー部７ａを有しており、このテーパー部７ａは、下方に直胴部７ｂに連なっている。このような形態により、内プリフォーム１を、速やかに外プリフォーム３内に挿入し、口部５の上方部分で嵌合固定することができる。
【００３１】
上述した内プリフォーム１を外プリフォーム３内に挿入して嵌合固定することにより形成されるスタックプリフォーム２０を、ブロー金型内に保持し、ブロー成形可能な温度（プリフォームを形成している樹脂のガラス転移点温度以上、融点未満）に加熱し、内プリフォーム１内に、適宜、ストレッチロッドを挿入し、一軸方向に延伸した後、圧縮空気等のブロー流体を内プリフォーム１に供給して、周方向に膨張させて延伸させることにより、目的とする二重構造容器が得られる。
即ち、内プリフォーム１の延伸成形部（胴部７及び底部９）は、外プリフォーム３の延伸成形部（胴部１３及び底部１５）の内面に密着しながら延伸成形され、外プリフォーム３は、内プリフォーム１により押し広げられて延伸され、ブロー金型によって容器の形態に賦形され、このとき、内プリフォーム１は、外プリフォーム３の内面を型として袋容器の形態に賦形されることとなる。
【００３２】
このような内プリフォーム１において、本発明では、延伸成形部である胴部７の内面に、収縮規制用溝１０が複数形成されている。即ち、図２の平断面図を併せて参照して、この胴部７、特に直胴部７ｂの内面には、径方向に互いに対向するように、軸方向に延びている２つの収縮規制用溝１０，１０が形成されている。尚、図１においては、作図上、この溝１０が形成されている部分は、一転鎖線で囲まれた領域で示されている。
このような収縮規制用溝１０は、溝以外の部分との厚み差が大きく、これにより、この内プリフォーム１を延伸ブロー成形して得られる内袋容器の胴部には、該内袋容器に充填されている内容液の排出に伴う収縮変形を規則的に規制する薄肉部を形成することができる。このような薄肉部及び収縮変形の形態については、追って詳述する。
【００３３】
例えば、本発明において、上記の収縮規制用溝１０の最小厚みｔは、該溝１０以外の部分の厚みＴの８０％以下、特に７０％以下であり、このように他の部分との厚み差が大きく薄肉となっている。この溝１０の最小厚みｔが、他の部分の厚みＴに対して上記範囲よりも厚い場合には、収縮変形を規則的に規制する収縮規制用薄肉部を内袋容器に形成することが困難となってしまう。
ここで重要なことは、上記のように他の部分との厚み差が大きい収縮規制溝１０は、スタックプリフォーム法によって内プリフォーム１と外プリフォーム３とを同時延伸ブロー成形する場合にのみ、収縮規制用薄肉部を内袋容器に形成することができるということであり、他の方法では、このような収縮規制用薄肉部を内袋容器に形成することはできない。内プリフォーム１の延伸ブロー成形時に溝１０の部分で破断を生じてしまうからである。スタックプリフォーム法では、内プリフォーム１が延伸ブロー成形によって膨張変形する際、常に、内プリフォーム１の胴部７の外面には外プリフォーム３の胴部１３の内面が密着した状態にあるため、溝１０の部分での破断が有効に防止され、この結果、収縮規制用薄肉部を内袋容器に形成することができるわけである。
【００３４】
尚、この溝１０の最少厚みｔが過度に薄いと、延伸ブロー成形時に破断を生じ易くなるため、この最少厚みｔは、２００μｍ以上、特に５００μｍ以上の厚みを有していることが望ましい。
【００３５】
また、本発明において、胴部平断面でみて、上記の収縮規制用溝１０の幅ｗは、それぞれ、０．２〜８ｍｍの範囲にあることが好適である。即ち、この幅ｗが必要以上に大き過ぎる場合及び必要以上に小さ過ぎる場合の何れにおいても、溝１０に由来して内袋容器に形成される収縮規制用薄肉部の幅が大きく或いは小さくなり、内容液の排出に伴う収縮変形を規則的に規制することが困難となる傾向がある。
【００３６】
上記収縮規制用溝１０の軸方向長さＬは、特に制限されないが、一般的には、延伸成形部である胴部７のハイトＨ、即ち、スタックプリフォーム２０としたとき、外プリフォーム３の口部１１の下端よりも下方に位置する部分の長さに対して、３０％以上、特に５０％以上の長さを有していることが、内容液の排出に伴う収縮を全体的に規則正しく規制するために好適である。
また、このような収縮規制用溝１０は、特に底部９に近い側に位置していることが好ましく、例えば、図１に示されているように、直胴部７ｂの部分に形成されていることが望ましい。これにより、内容液の排出に伴う収縮変形に際して、袋状容器の底部が上方に浮いてしまうなどの不規則変形をより確実に防止することができる。
【００３７】
さらに、図１の例では、上記の収縮規制用溝１０は、胴部７の内面に形成されているが、勿論、胴部７の外面にも形成することができる。ただし、この溝１０の深さをより深くし、他の部分との間に大きな厚み差を形成する場合には、この内プリフォーム１の射出成形性等の観点から、胴部７の内面に溝１０を設けることが好ましい。また、延伸ブロー成形に際して、溝１０の部分での破断を効果的に防止するという観点からも、内面に溝１０を設けることがより好適である。
また、図１及び図２の例では、径方向に対向する２か所に収縮規制用溝１０が設けられているが、このような収縮規制用溝１０は、２よりも多い数で設けることもできる。このような多数の収縮規制用溝１０は、内容液の排出に伴う収縮変形をより規則的に規制するという観点から、平断面でみて、点対称となる位置に設けられていることが好ましい。本発明では、特に２〜４の数で、収縮規制用溝１０が、周方向に点対称的に分布していることが最適である。
【００３８】
図３及び図４を参照して、全体として３０で示されている本発明の二重構造容器は、上述した内プリフォーム１と外プリフォーム３とからなるスタックプリフォーム２０を延伸ブロー成形することにより得られるものであり、内プリフォーム１から得られる内袋容器３１と、外プリフォーム３から得られる外容器４１とからなる。
【００３９】
これらの容器３１及び４１では、内プリフォーム１の首部５や外プリフォーム３の口部１１が実質的に延伸成形されない部分であるため、これらの部分をそのままの形態で有している。
例えば、内袋容器３１は、首部５と、異変形性の胴部３３及び底部３５を有しており、胴部３３及び底部３５が延伸ブロー成形により賦形された部分である。
また、外容器４１は、口部１１と、胴部４３及び底部４５を有しており、胴部４３及び底部４５が延伸ブロー成形により賦形された部分である。また、この容器の自立性等の観点から、一般に、底部４５の中央部には、上げ底部４５ａが形成されており、底部４５の周縁部分が接地部となるような形態を有している。ブロー成形直後の初期状態では、内袋容器３１の胴部３３及び底部３５は、外容器４１の内面に密着した状態に保持されている。
【００４０】
このような二重構造容器３０において、本発明では、内袋容器３１の胴部３３には、径方向に対向して、２つの収縮規制用薄肉部５０が形成されている。尚、図４においては、作図上、この薄肉部５０が形成されている部分は、一転鎖線で囲まれた領域で示されている。
即ち、この収縮規制用薄肉部５０は、図１の内プリフォーム１に設けられている収縮規制用溝１０が延伸されることにより形成されたものであり、従って、径方向に対向する２か所に収縮規制用薄肉部５０が形成され、且つこれらの薄肉部５０は、軸方向に帯状に延びている。
【００４１】
本発明では、上記の収縮規制用薄肉部５０は、他の部分との厚み差が大きい部分であり、非常に薄肉となっている。このため、既に述べたように、厚み差のある収縮規制用溝１０を有する内袋容器用プリフォーム１を用い、スタックプリフォーム法による同時延伸ブロー成形を行うことによってしか、このような収縮規制用薄肉部５０を形成することができない。
【００４２】
即ち、本発明の二重構造容器３０では、内袋容器３１内に内容液が充填され、外容器４１の胴部４３を押圧することにより、内袋容器３１の胴部３３も押圧され、これにより、内容液が排出される。次いで、この押圧を停止すると、外容器４１の胴部４３は、原形に復帰するが、この際、袋状容器３１の胴部３３と外容器４１の胴部４３との間の圧力が負圧となるため、両者の間に、逆止弁付キャップの弁から空気導入口１１ｂが流れ込むこととなり、袋状容器３１内には空気は流れ込まず、従って、内容液の酸化劣化が有効に防止され、内容液の品質を有効に維持することができる。このように、内容液の排出に伴い、袋状容器３１は収縮し、次に外容器４１の胴部４３を押圧することにより、再び、内容液が排出されることとなる。
【００４３】
上記のように内容液を排出していくと、これに伴い、内袋容器３１の胴部３３は収縮していくが、本発明では、上記の収縮規制用薄肉部５０が形成されているため、この収縮による変形が規則的となるように規制され、この収縮変形による内容液の流路が潰されてしまう等の不都合を有効に回避することができる。
例えば、胴部３３の収縮変形の形態を示す図５を参照して、本発明では、径方向に対向して形成されている収縮規制用薄肉部５０を稜線として収縮変形するため、丁度、直線状に折り畳まれるような形態に規則的に変形し、この結果、変形した胴部３３の中心部分には、内容液の排出流路となる空間Ｚが確保されることとなる。
一方、図６に示されているように、収縮規制用薄肉部５０が形成されていない場合には、この胴部３３の全体が一気に変形するため、例えば、胴部３３が外容器４１の底部４５から大きく浮き上がってしまい、著しく不規則な形態に収縮してしまい、この結果、内容液の流路が潰されてしまい、内容液の排出が困難となってしまう。
【００４４】
上述した本発明において、収縮規制用薄肉部５０及び該薄肉部５０を形成するために内プリフォーム１に形成される収縮規制用溝１０は、径方向に互いに対向する２か所に形成された例が示されているが、収縮規制用溝１０の項でも説明したように、このような溝１０及び薄肉部５０は、３以上の数で設けることもでき、また、より規則的に変形収縮させるためには、これらは、点対称的に周方向に配置されていることが好ましい。
【００４５】
図７には、３つ及び４つの収縮規制用溝１０を点対称的に配置したときに形成される薄肉部５０のパターン及び収縮変形した形態の概略が示されている。
この図から理解されるように、何れの場合も、他の部分に比して著しく変形し易い収縮用薄肉部５０を稜線として収縮変形するため、その中央部分に内容液の排出流路となる空間Ｚが保持され、内容液の排出をスムーズに行うことができる。
【００４６】
ところで、上記のように規則的な収縮変形を確保するためには、薄肉部５０と他の部分との厚み差が大きいことが必要であることは先に述べたとおりであり、このために、前述した内プリフォーム１の胴部７にある程度以上の厚み差を有する深い溝（収縮規制用溝１０）を形成するわけであり、この収縮規制用溝１０の最小厚みｔは、他の部分の厚みＴの８０％以下、特に７０％以下の厚みに設定されており、このような収縮規制用溝１０の部分が延伸ブロー成形されて引き延ばされることにより、上記の軸方向に帯状に延びている収縮規制用薄肉部５０が形成される。例えば、このような収縮規制用薄肉部５０の最少厚みｔ’は、他の部分の厚みＴ’に対して７０％以下、特に６０％以下の範囲となり、他の部分との厚み差が大きく、これにより、内容液の排出に伴う収縮変形が規則的となるように規制することができる。
【００４７】
尚、この薄肉部５０の最少厚みｔ’の他の部分の厚みＴ’に対する割合が、収縮規制用溝１０の最小厚みｔの他の部分の厚みＴに対する割合よりも若干小さい範囲にシフトしているのは、収縮規制用溝１０の部分が、延伸ブローにより他の部分に比してより薄肉化されるためである。同様に、薄肉部５０の幅ｗ’は、周方向の延伸倍率に応じて薄肉化されている分、収縮規制用溝１０の幅ｗよりも広がっている。従って、この幅ｗ’が必要以上に大きくならないように、延伸ブローの条件（周方向延伸倍率）が設定され、例えば、この幅ｗ’は、３〜３０ｍｍ程度の範囲となるように、収縮規制用溝１０の幅ｗに応じて、周方向延伸倍率が設定される。
【００４８】
上述した本発明の二重構造容器は、内袋容器３１内に内容液を充填した後、それ自体公知の逆止弁付キャップを装着し使用に供される。
【００４９】
本発明において、内袋容器３１を形成するための内袋容器用プリフォーム１や外容器４１を形成するための外容器用３は、ブロー成形が可能であるかぎり、種々の熱可塑性樹脂で形成することができる。
このような熱可塑性樹脂としては、例えば、以下のものを例示することができる。
オレフィン系樹脂、例えば、低密度ポリエチレン、高密度ポリエチレン、ポリプロピレン、ポリ１−ブテン、ポリ４−メチル−１−ペンテンあるいはエチレン、プロピレン、１−ブテン、４−メチル−１−ペンテン等のα−オレフィン同士のランダムあるいはブロック共重合体、環状オレフィン共重合体など；
エチレン・ビニル系共重合体、例えば、エチレン・酢酸ビニル共重合体、エチレン・ビニルアルコール共重合体、エチレン・塩化ビニル共重合体等；
スチレン系樹脂、例えば、ポリスチレン、アクリロニトリル・スチレン共重合体、ＡＢＳ、α−メチルスチレン・スチレン共重合体等；
ビニル系樹脂、例えば、ポリ塩化ビニル、ポリ塩化ビニリデン、塩化ビニル・塩化ビニリデン共重合体、ポリアクリル酸メチル、ポリメタクリル酸メチル等；
ポリアミド樹脂、例えば、ナイロン６、ナイロン６−６、ナイロン６−１０、ナイロン１１、ナイロン１２等；
ポリエステル樹脂、例えば、ポリエチレンテレフタレート（ＰＥＴ）、ポリブチレンテレフタレート、ポリエチレンナフタレート、及びこれらの共重合ポリエステル等；
ポリカーボネート樹脂；
ポリフエニレンオキサイド樹脂；
生分解性樹脂、例えば、ポリ乳酸など；
勿論、成形性が損なわれない限り、これらの熱可塑性樹脂のブレンド物を、下地樹脂として使用することもできる。
本発明において、特に好適に使用される熱可塑性樹脂は、ポリエステル系樹脂及びオレフィン系樹脂であり、さらに、用途上、内袋容器３１と外容器４１との間には空気が流入するため、外容器３を形成するための外プリフォーム３には水分及びガスバリア性は必ずしも必要ではなく、水分及びガスバリア性の低いポリ乳酸も好適に使用することができる。
【００５０】
また、成形される内袋容器３１や外容器４１にガスバリア性を付与するために、これらを形成するための内プリフォーム１や外プリフォーム３を多層構造とすることもできる。
例えば、前述したポリエステル系樹脂やオレフィン系樹脂（或いはポリ乳酸）等から形成された内外層の間に中間層として、エチレンビニルアルコール共重合体（エチレン酢酸ビニル共重合体ケン化物）や芳香族ポリアミドなどのガスバリア性樹脂を用いて形成されるガスバリア層を設けることが好ましく、特にエチレンビニルアルコール共重合体によるガスバリア層を設けることが最も好適である。即ち、中間層としてガスバリア層を設けることにより酸素バリア性を付与することができ、特にエチレンビニルアルコール共重合体は、特に優れた酸素バリア性を示すため、酸素透過による内容物の酸化劣化をも有効に抑制することができ、優れた内容物保存性を確保することができる。
【００５１】
また、上記のようなガスバリア層を設ける場合には、内外層との接着性を高め、デラミネーションを防止するために、接着剤樹脂層を設けることもでき、これにより、中間層のガスバリア層をしっかりと内外層に接着固定することができる。このような接着樹脂層の形成に用いる接着剤樹脂はそれ自体公知であり、例えば、カルボニル基（＞Ｃ＝Ｏ）を主鎖若しくは側鎖に１乃至１００ｍｅｑ／１００ｇ樹脂、特に１０乃至１００ｍｅｑ／１００ｇ樹脂の量で含有する樹脂、具体的には、マレイン酸、イタコン酸、フマル酸などのカルボン酸もしくはその無水物、アミド、エステルなどでグラフト変性されたオレフィン樹脂；エチレン−アクリル酸共重合体；イオン架橋オレフィン系共重合体；エチレン−酢酸ビニル共重合体；などが接着性樹脂として使用される。
【００５２】
上述した本発明の二重構造容器は、複雑な構造の金型を使用することがなく且つスタックプリフォームも容易に組み立てることができるため、生産性に優れている。また、継続して内容液の排出をスムーズに行うことができ、内容液の内袋容器内への残存を有効に抑制できるばかりか、長期間にわたって高い鮮度を保持することができ、しかも、内容液を小出しできることから、醤油等の調味液用の容器として極めて有用である。
【実施例】
【００５３】
本発明の優れた効果を次の実験例で説明する。
【００５４】
除湿乾燥機で十分乾燥させた市販のボトル用ＰＥＴ樹脂（固有粘度：０．８４ｄｌ／ｇ）を射出成形機のホッパーへ供給し、試験管形状の外容器成形用プリフォームと、試験管形状の内袋容器成形用プリフォームを得た。内袋容器成形用プリフォームは内面側に軸対象となるよう収縮規制用溝を複数箇所設けた。溝の形状および本数を表１に示す。
【００５５】
【表１】
2019142186.tif 000003
【００５６】
上記の外容器成形用プリフォームに内袋容器成形用プリフォームを挿入し、スタックプリフォームを得た。さらに、スタックプリフォームに対してクオーツヒータおよび加熱用鉄芯により加熱し、ブロー成形し、内容量が約４００ｍｌの円筒形状ボトルを得た。延伸倍率は外層用プリフォームに対して縦方向で２．５倍、周方向で２．５倍、内層用プリフォームに対して縦方向で２．７倍、周方向で４．２倍であった。
得られた二重構造容器の内袋には内袋容器成形用プリフォームに設けた収縮規制用溝の形状および本数に応じた収縮規制用薄肉部が形成された。収縮規制用薄肉部の厚みおよび幅について表１に示す。また、得られた二重構造容器をスクイズし、内袋を収縮させながら内容物を吐出した際に収縮規制がなされているかどうかおよび収縮規制形状についても表１に示した。
【００５７】
形状２のように収縮規制用溝が小さい場合、内袋の収縮は溝を一切設けない場合と同様に内袋全体が一斉に縮み、完全なランダムに折りたたまれ内容液の流路閉塞が生じた。
【００５８】
形状１および形状３〜５のように、大きな収縮規制用溝を設けた場合、ボトル成形後の収縮規制用薄肉部が折り畳みの起点となり、収縮規制用薄肉部を稜線として内袋が収縮し、内容液の流路閉塞は生じなかった。
【符号の説明】
【００５９】
１：内袋容器用プリフォーム（内プリフォーム）
３：外容器用プリフォーム（外プリフォーム）
５：内プリフォーム及び内袋容器の首部
７：内プリフォームの胴部
９：内プリフォームの胴部
１０：収縮規制用溝
１１：外プリフォーム及び外容器の口部
１１ｂ：空気導入口
２０：スタックプリフォーム
３０：二重構造容器
３１：内袋容器
３３：内袋容器の胴部
３５：内袋容器の底部
４１：外容器
４３：外容器の胴部
４５：外容器の底部
５０：収縮規制用薄肉部
【図１】
2019142186.tif 000004
【図２】
2019142186.tif 000005
【図３】
2019142186.tif 000006
【図４】
2019142186.tif 000007
【図５】
2019142186.tif 000008
【図６】
2019142186.tif 000009
【図７】
2019142186.tif 000010
【手続補正書】
【提出日】平成31年4月24日(2019.4.24)
【手続補正１】
【補正対象書類名】明細書
【補正対象項目名】００５５
【補正方法】変更
【補正の内容】
【００５５】
【表１】
2019142186.tif 000011